(57)【特許請求の範囲】
【請求項１】
内部に円筒状のバルブ室が備えられ、このバルブ室の周囲に二つの薬液流入口と一つの薬液流出口がそれぞれ備えられたバルブハウジングと；
前記二つの薬液流入口に薬液供給源からの薬液を相異なる流量に分けてそれぞれ流入させる薬液分岐器具と；
前記バルブ室に回転可能に収容され、回転角度によって前記二つの薬液流入口の少なくとも一つと前記一つの薬液流出口が互いに連通するようにかあるいは連通を解除する第１及び第２及び第３薬液通路を持つ転換バルブと；
前記転換バルブを回転させるバルブ操作器具と；を含み、
前記二つの薬液流入口と一つの薬液流出口は対向するように配置され、前記二つの薬液流入口は上下に位置され、前記一つの薬液流出口は前記上側の薬液流入口より低く、前記下側の薬液流入口よりより高い中間高さに位置され、
前記第１及び第２及び第３薬液通路は前記転換バルブに前記転換バルブの回転中心に対して垂直方向に貫設され、前記第１及び第２及び第３薬液通路の開放両端をそれぞれ第１及び第２ポートにし、
前記第１薬液通路は前記薬液流出口と同一高さに位置され、前記第２薬液通路は前記上側の薬液流入口と同一高さに位置され、前記第３薬液通路は前記下側の薬液流入口と同一高さに位置され、前記第２薬液通路は前記第１薬液通路と交叉され、前記第３薬液通路は前記第２薬液通路とに平行に位置され、
前記第１薬液通路の第１ポートは前記一つの薬液流出口に向かうとき、前記一つの薬液流出口と連通され、前記転換バルブを１８０°回転され、前記二つの薬液流入口に向かうとき、前記二つの薬液流入口のいずれとも連通するように形成され、前記第１薬液通路の第２ポートは前記一つの薬液流出口に向かうとき、前記一つの薬液流出口と連通され、前記転換バルブを１８０°回転され、前記二つの薬液流入口に向かうとき、前記二つの薬液流入口のいずれとも連通しないように形成され、
前記第２薬液通路の第１ポートは前記上側の薬液流入口に向かうとき、前記上側の薬液流入口と連通され、前記転換バルブを１８０°回転され、前記一つの薬液流出口に向かうとき、前記一つの薬液流出口と連通しないように形成され、
前記第２薬液通路の第２ポートは前記上側の薬液流入口に向かうとき、前記上側の薬液流入口と連通され、前記転換バルブを１８０°回転され、前記一つの薬液流出口に向かうとき、前記一つの薬液流出口と連通するように形成され、
前記第３薬液通路の第１ポートは前記下側の薬液流入口に向かうとき、前記下側の薬液流入口と連通され、前記転換バルブを１８０°回転され、前記一つの薬液流出口に向かうとき、前記一つの薬液流出口と連通しないように形成され、
前記第３薬液通路の第２ポートは前記下側の薬液流入口に向かうとき、前記下側の薬液流入口と連通され、前記転換バルブを１８０°回転され、前記一つの薬液流出口に向かうとき、前記一つの薬液流出口と連通するように形成されたことを特徴とする、薬液投与量制御装置。
【請求項２】
前記薬液分岐器具は、
前記薬液供給源からの薬液が流入する単一流入管と；
前記流入管から分岐して前記薬液流入口にそれぞれ連結され、管路の断面積が互いに異なる二つの流量調節管と；を含むことを特徴とする、請求項１に記載の薬液投与量制御装置。
【請求項３】
前記二つの流量調節管は管路が微細な毛細管であることを特徴とする、請求項２に記載の薬液投与量制御装置。
【発明の詳細な説明】
【技術分野】
【０００１】
本発明は痛み止め、抗生剤など薬液の投与を要する投与対象（例えば、患者）に薬液を投与するにあたり投与量（流速量）を調節するのに使われる制御装置に関する。
【背景技術】
【０００２】
一般に、癌患者には特殊抗生剤を投与して癌を治療し、痛症管理が要求される患者には痛症を緩和させる目的で痛み止めを投与する。特殊抗生剤や痛み止めのような薬液は他の一般的な薬液とは異なり、過多に投与する場合には患者が昏睡状態やショック死に至ることができ、反対の場合として投与量が少ない場合には薬液による目的達成を正確に成すことができないため、許容範囲内で一定量を投与することが非常に重要である。
【０００３】
以前には大部分が薬液の投与に注射器を用いたが、この方式は、投与量が注射器を操作する使用者の力調節、熟練度などによって決まるため、薬液の投与速度を一定に維持することが大変難しかった。他の方式として、薬液を投与するためのホースに使用者が投与量を任意に調節することができるようにする調節器具を備えて使用者が投与量を肉眼で直接確認しながら調節したりしたが、これによっては随時変化する患者の状態などによって必要とする正確な量の薬液を投与することが大変難しかった。
【発明の概要】
【発明が解決しようとする課題】
【０００４】
本発明の目的は薬液の流速量を正確に調節することができる薬液投与量制御装置を提供することにある。
【課題を解決するための手段】
【０００５】
本発明の実施例によれば、内部に円筒状のバルブ室が備えられ、このバルブ室の周囲に複数の薬液流入口と一つの薬液流出口がそれぞれ備えられたバルブハウジングと；前記複数の薬液流入口に薬液供給源からの薬液を相異なる流量に分けてそれぞれ流入させる薬液分岐器具と；前記バルブ室に回転可能に収容され、回転角度によって前記複数の薬液流入口の少なくとも一つと前記薬液流出口が互いに連通するようにする流路を持つ転換バルブと；前記転換バルブを回転させるバルブ操作器具と；を含む薬液投与量制御装置が提供される。
【０００６】
ここで、前記薬液分岐器具は、前記薬液供給源からの薬液が流入する単一流入管と；前記流入管から分岐して前記薬液流入口にそれぞれ連結され、管路の断面積が互いに異なる複数の流量調節管と；を含むことができる。この際、前記複数の流量調節管は管路が微細な毛細管であってもよい。
【０００７】
前記薬液流入口と前記薬液流出口は対向するように配置され、前記転換バルブは、前記流路として前記複数の薬液流入口のすべてからの薬液を前記薬液流出口に流出させる第１流路を含み、前記第１流路は前記転換バルブを１８０°回転させれば前記複数の薬液流入口のすべてからの薬液を前記薬液流出口に流出させない第２流路に転換されるように形成されることができる。
【０００８】
ここで、前記転換バルブは、前記流路として前記複数の薬液流入口の一部の薬液流入口からの薬液を前記薬液流出口に流出させる部分開放流路をさらに含むことができる。
【０００９】
前記薬液流入口は二つ備えられ、これをそれぞれ第１及び第２流入口にし、前記転換バルブは前記流路として前記第１流入口からの薬液を前記薬液流出口に流出させる第３流路及びこれと同時に前記第２流入口からの薬液を前記薬液流出口に流出させない第４流路を含むことができる。
【００１０】
ここで、前記薬液流入口と前記流出口は対向するように配置され、前記第３流路及び前記第４流路は、前記転換バルブを１８０°回転させればそれぞれ前記第１流入口からの薬液を前記薬液流出口に流出させない第５流路及び前記第２流入口からの薬液を前記薬液流出口に流出させる第６流路に転換されるように形成されることができる。
【発明の効果】
【００１１】
本発明は薬液の流速量を正確に調節して投与対象に定量の薬液を投与することができる。
【図面の簡単な説明】
【００１２】
【図１】図１は本発明の第１実施例による薬液投与量制御装置を示す斜視図である。
【図２】図２は本発明の第１実施例による薬液投与量制御装置を示す分解斜視図である。
【図３】図３は図１のＡ−Ａ線についての断面図である。
【図４】図４は図３に示すバルブハウジングの拡大図である。
【図５】図５は図２のＢ−Ｂ線についての断面を示す斜視図である。
【図６】図６は図２のＣ−Ｃ線についての断面を示す斜視図である。
【図７】図７は本発明の第１実施例による薬液投与量制御装置の作動を示す断面図である。
【図８】図８は本発明の第１実施例による薬液投与量制御装置の作動を示す断面図である。
【図９】図９は本発明の第１実施例による薬液投与量制御装置の作動を示す断面図である。
【図１０】図１０は本発明の第１実施例による薬液投与量制御装置の作動を示す断面図である。
【図１１】図１１は本発明の第１実施例による薬液投与量制御装置の適用例を示す分解斜視図である。
【図１２】図１２は本発明の第１実施例による薬液投与量制御装置の適用例を示す正面図である。
【図１３】図１３は本発明の第２実施例による薬液投与量制御装置を示す分解斜視図である。
【発明を実施するための形態】
【００１３】
以下、添付図面に基づいて本発明の好適な実施例を説明する。参考として、本発明を説明するにあたり、参照図面に示す構成要素の大きさ、線の太さなどは理解の便宜のために多少誇張して表現されることができる。また、本発明の説明に使われる用語は本発明の機能を考慮して定義したものなので、使用者、運用者の意図、慣例などによって変わることができる。したがって、このような用語に対する定義はこの明細書の全般にわたる内容に基づいて下さるべきであろう。
【００１４】
図１及び図２は本発明の第１実施例による薬液投与量制御装置を示す斜視図及び分解斜視図、図３は図１のＡ−Ａ線についての断面図である。図１〜図３に示すように、本発明の第１実施例による薬液投与量制御装置は、薬液供給源から薬液を受けて分ける薬液分岐器具１０、この薬液分岐器具１０からの分岐薬液がそれぞれ流入する複数の流入口２１Ａ、２１Ｂと流出される一つの流出口２２を持つバルブハウジング２０、複数の薬液通路３１、３２、３３を持ち、このバルブハウジング２０の内部でこの複数の薬液通路３１、３２、３３によって流入口２１Ａ、２１Ｂと流出口２２が互いに連通するように連結するかあるいは連通が解除されるように遮断する転換バルブ３０、及びこの転換バルブ３０を作動させるバルブ操作器具としての操作ハンドル４０を含む。
【００１５】
このような第１実施例による薬液投与量制御装置は、薬液供給源からの薬液を投与対象（患者など）に直接連結される注入ユニット（注射針、カテーテル（ｃａｔｈｅｔｅｒ）など）に輸送するライン（図１の図面符号２、４参照）上に設置され、薬液供給源からの薬液は薬液通路３１、３２、３３によって流入口２１Ａ、２１Ｂと流出口２２が連通すれば投与対象に投与され、反対に流入口２１Ａ、２１Ｂと流出口２２の間の連通が遮断されれば投与が中断される。
【００１６】
薬液分岐器具１０は、薬液供給源からの薬液が流入する単一流入管１１及びこの流入管１１からの薬液を相異なる流量に分けて流出する二つの流量調節管１３Ａ、１３Ｂを含む。
【００１７】
流入管１１の一端には薬液供給源からの薬液を輸送する流入ラインとしての流入ホース２が連結され、流入管１１の他端にはコネクタ１２が備えられる。コネクタ１２は二つの結合孔を持つ。このコネクタ１２の二つの結合孔は流入管１１の管路から二枝状に分岐された形状であるとともに互いに平行に形成されるので、流入管１１とコネクタ１２はＹ字形のコネクタ構造を持つ。
【００１８】
コネクタ１２の二つの結合孔には流量調節管１３Ａ、１３Ｂがそれぞれ挿入され、流入管１１からの薬液は二つの流量調節管１３Ａ、１３Ｂに流入する。好ましくは、コネクタ１２と二つの流量調節管１３Ａ、１３Ｂは薬液の漏洩を防止するように結合される。実施条件によっては、コネクタ１２と流量調節管１３Ａ、１３Ｂは一体型であることができる。
【００１９】
二つの流量調節管１３Ａ、１３Ｂは管路が微細な毛細管である。また、二つの流量調節管１３Ａ、１３Ｂはその管路の断面積（直径）が互いに異なるように形成され、これらの二つの流量調節管１３Ａ、１３Ｂに沿って流れる薬液は流量（流速）が互いに異なる。参考として、ここでは、図面符号１３Ａ流量調節管の管路が図面符号１３Ｂ流量調節管の管路に比べて大きくなるように形成した（図３参照）。
【００２０】
図４は図３に示すバルブハウジング２０の拡大図である。バルブハウジング２０は内部に転換バルブ３０が収容されるバルブ室２５が上下に長い円筒状に構成され、このバルブ室２５の上側が開放するように形成され、バルブ室２５に収容された転換バルブ３０はバルブ室２５の開放した上側を通じて露出される。バルブハウジング２０の外周にはバルブ室２５と連通する流入用連結管２３と流出用連結管２４がそれぞれ備えられる。
【００２１】
流入用連結管２３は二つの管路を持ち、この流入用連結管２３の二つの管路は上下に離隔して互いに平行に配置される。このような流入用連結管２３の二つの管路はそれぞれ流入口２１Ａ、２１Ｂとして機能し、これによりバルブハウジング２０は上下に離隔した二つの流入口２１Ａ、２１Ｂを持つ。
【００２２】
流入用連結管２３の二つの管路には流量調節管１３Ａ、１３Ｂがそれぞれ挿入される。このように流入用連結管２３に結合された二つの流量調節管１３Ａ、１３Ｂは流入用連結管２３の二つの管路が上下に配置されるのでこれと同様に配置され、上側の流量調節管１３Ａからの薬液は上側の流入口２１Ａに流入し、下側の流量調節管１３Ｂからの薬液は下側の流入口２１Ｂに流入する。好ましくは、二つの流量調節管１３Ａ、１３Ｂと流入用連結管２３も薬液の漏洩が防止されるように結合される。実施条件によっては、二つの流量調節管１３Ａ、１３Ｂと流入用連結管２３も一体型であることができる。
【００２３】
流出用連結管２４はその管路が流出口２２として機能し、バルブ室２５を基準として流入用連結管２３の向こう側に配置され、流出口２２は流入口２１Ａ、２１Ｂと対向する。流出用連結管２４には、この流出用連結管２４から流出される薬液を投与対象に提供するための流出ラインとしての流出ホース４が連結される。
【００２４】
流出口２２の位置は、上下に配置された二つの流入口２１Ａ、２１Ｂに比べると、上側の流入口２１Ａよりは低く、下側の流入口２１Ｂよりは高い。すなわち、二つの流入口２１Ａ、２１Ｂの中間高さに流出口２２が位置するものである。
【００２５】
転換バルブ３０はバルブ室２５とぴったり合う円筒状に形成され、このバルブ室２５でその中心を基準として回転させることができる。転換バルブ３０の露出部である上部には操作ハンドル４０が脱着可能に結合され、転換バルブ３０は、操作ハンドル４０を左右に回転させれば、操作ハンドル４０と同一方向に回転される。
【００２６】
ここで、転換バルブ３０と操作ハンドル４０の一方には結合ロッド５１が備えられ、転換バルブ３０と操作ハンドル４０の他方にはこの結合ロッド５１が挿入される結合孔５２が備えられることができる。この結合ロッド５１と結合孔５２は脱着手段５０をなすもので、ここでは、操作ハンドル４０の下部に結合ロッド５１を、かつ転換バルブ３０の上部に結合孔５２を設けて見た。
【００２７】
図５及び図６はそれぞれ図２のＢ−Ｂ線及びＣ−Ｃ線についての断面を示す斜視図で、転換バルブ３０の薬液通路３１、３２、３３を示す。図５及び図６に示すように、薬液通路３１、３２、３３は三つが備えられる。これらの三つの薬液通路３１、３２、３３は一端部を除いた断面積が一定になるように形成され、さらにこの一端部を除いた断面積が互いに同一であるように形成される。このような三つの薬液通路３１、３２、３３はいずれも転換バルブ３０に転換バルブ３０の回転中心に対して垂直方向に貫設され、三つの薬液通路３１、３２、３３の開放両端は転換バルブ３０の回転角度によってそれぞれ流入口２１Ａ、２１Ｂと流出口２２に向かう。以下では、三つの薬液通路３１、３２、３３をそれぞれ第１及び第２及び第３薬液通路といい、これら三つの薬液通路３１、３２、３３の両端をそれぞれ第１及び第２ポートということにする。
【００２８】
第１薬液通路３１はその第１ポート３１−１が二つの流入口２１Ａ、２１Ｂに向かい、その第２ポート３１−２が流出口２２に向かうとき、第１ポート３１−１が二つの流入口２１Ａ、２１Ｂと連通すると同時に第２ポート３１−２が流出口２２と連通するが（図７参照）、これとは反対に、転換バルブ３０を１８０°回転させることによってその第１ポート３１−１が流出口２２に向かい、その第２ポート３１−２が二つの流入口２１Ａ、２１Ｂに向かうときには、第２ポート３１−２が二つの流入口２１Ａ、２１Ｂと連通しないように形成される（図８参照）。
【００２９】
具体的には、第１薬液通路３１は流出口２２と同一線上に位置し、第１薬液通路３１の第２ポート３１−２が流出口２２に向かうとき、流出口２２と連通する。第１薬液通路３１はその第１ポート３１−１側を除いた残りの断面積が一定であり、その第２ポート３１−２が二つの流入口２１Ａ、２１Ｂに向かうとき、この二つの流入口２１Ａ、２１Ｂの間で二つの流入口２１Ａ、２１Ｂと部分的にも連通しない大きさに形成される。第１薬液通路３１の第１ポート３１−１は二つの流入口２１Ａ、２１Ｂとの連通ができるように上下に拡張した構造を持つ。
【００３０】
第２薬液通路３２は転換バルブ３０に第１薬液通路３１と直交するように貫設され、第２薬液通路３２の二つのポート３２−１、３２−２は、第１薬液通路３１の二つのポート３１−１、３１−２が流入口２１Ａ、２１Ｂと流出口２２に向かっている状態で転換バルブ３０を９０°回転させれば、流入口２１Ａ、２１Ｂと流出口２２に向かう。このような第２薬液通路３２は、その第１ポート３２−１が二つの流入口２１Ａ、２１Ｂに向かい、その第２ポート３２−２が流出口２２に向かうとき、その第１ポート３２−１が上側の流入口２１Ａと連通すると同時にその第２ポート３２−２が流出口２２と連通するが（図９参照）、これとは反対に、転換バルブ３０を１８０°回転させることで、その第１ポート３２−１が流出口２２に、かつその第２ポート３２−２が二つの流入口２１Ａ、２１Ｂにそれぞれ向かうときには、第１ポート３２−１が流出口２２と連通しないように形成される（図１０参照）。
【００３１】
より詳しくは、第２薬液通路３２が上側の流入口２１Ａと同一線上に位置し、第２薬液通路３２の第１ポート３２−１が二つの流入口２１Ａ、２１Ｂに向かうとき、上側の流入口２１Ａと連通するが、流出口２２に向かうときには、流出口２２の位置が上側の流入口２１Ａより低くてこの流出口２２と連通しない。第２薬液通路３２はその第２ポート３２−２側を除いた残りの断面積が一定であり、その第２ポート３２−２は流出口２２と連通できるように下側に拡張した構造を持つ。
【００３２】
第３薬液通路３３は転換バルブ３０に第２薬液通路３２に平行に貫設され、第３薬液通路３３の二つのポート３３−１、３３−２は、第２薬液通路３２の二つのポート３２−１、３２−２が流入口２１Ａ、２１Ｂと流出口２２に向かうとき、同様に流入口２１Ａ、２１Ｂと流出口２２に向かう。
【００３３】
このような第３薬液通路３３は、第２薬液通路３２の第１ポート３２−１が流出口２２に向かい第２薬液通路３２の第２ポート３２−２が二つの流入口２１Ａ、２１Ｂに向かうとき、その第１ポート３３−１が二つの流入口２１Ａ、２１Ｂに向かうとともにその第２ポート３３−２が流出口２２に向かう。これとは反対に、第３薬液通路３３は、転換バルブ３０を１８０°回転させて第２薬液通路３２の第１ポート３２−１が二つの流入口２１Ａ、２１Ｂに向かい第２薬液通路３２の第２ポート３２−２が流出口２２に向かうとき、その第１ポート３３−１が流出口２２に向かうとともに、その第２ポート３３−２が二つの流入口２１Ａ、２１Ｂに向かう。
【００３４】
また、第３薬液通路３３は、その第１ポート３３−１が二つの流入口２１Ａ、２１Ｂに向かいその第２ポート３３−２が流出口２２に向かうときには、その第１ポート３３−１が下側の流入口２１Ｂと連通するとともに、その第２ポート３３−２が流出口２２と連通するが（図１０参照）、その第１ポート３３−１が流出口２２に向かいその第２ポート３３−２が二つの流入口２１Ａ、２１Ｂに向かうときには、その第１ポート３３−１が流出口２２と連通しないように形成される（図９参照）。
【００３５】
より詳細に、第３薬液通路３３は下側の流入口２１Ｂと同一線上に位置し、第３薬液通路３３の第１ポート３３−１は二つの流入口２１Ａ、２１Ｂに向かうとき、下側の流入口２１Ｂと連通するが、流出口２２に向かうときには流出口２２の位置が下側の流入口２１Ｂより高いため、この流出口２２と連通しない。第３薬液通路３３はその第２ポート３３−２側を除いた残りの断面積が一定であり、その第２ポート３３−２は流出口２２と連通するように上側に拡張した構造を持つ。
【００３６】
前述したような第１〜第３薬液通路３１、３２、３３を持つ転換バルブ３０によれば、使用者はすべて四つのモードの一つを選択して投与対象に投与される薬液の量を調節することができる。
【００３７】
一つは二つの流入口２１Ａ、２１Ｂを共に通じて二つの流量調節管１３Ａ、１３Ｂから流入する薬液が投与対象に投与されるようにする全体開放モードであり、他の一つは二つの流量調節管１３Ａ、１３Ｂの両方からの薬液の流れを遮断して薬液の投与が中断されるようにする全体閉鎖モードであり、これら二つのモードは第１薬液通路３１によって具現される。
【００３８】
また、さらに他の一つは上側の流入口２１Ａを通じて上側の流量調節管１３Ａから流入する薬液だけが投与対象に投与されるようにする第１部分開放モードであり、さらに他の一つは下側の流入口２１Ｂを通じて下側の流量調節管１３Ｂから流入する薬液だけが投与対象に投与されるようにする第２部分開放モードであり、これらの二つの部分開放モードは第２及び第３薬液通路３２、３３によって具現され、第１部分開放モードでは上側の流量調節管１３Ａの管路が下側の流量調節管１３Ｂの管路よりもっと大きいので、第２部分開放モードを選択したときと比較して投与対象にもっと多量の薬液が投与される。
【００３９】
参考として、ここでは、全体開放モードで操作ハンドル４０を操作して、転換バルブ３０を９０°の間隔で右側に回転させれば、モードが第２部分開放モード（下側の流量調節管１３Ｂからの薬液のみを流出）、全体閉鎖モード、第１部分開放モードの順に転換されるようにした。
【００４０】
図７〜図１０に基づいて第１実施例の作動を説明すれば次のようである。
【００４１】
図７は全体開放モード状態を示す。図７のように、全体開放モードでは、第１薬液通路３１の第１ポート３１−１は二つの流入口２１Ａ、２１Ｂと連通し、第１薬液通路３１の第２ポート３１−２は流出口２２とそれぞれ連通することで、二つの流量調節管１３Ａ、１３Ｂからの薬液は二つの流入口２１Ａ、２１Ｂに流入して第１薬液通路３１を通過した後、流出口２２に流出される。この際、第１薬液通路３１は投与対象に二つの流量調節管１３Ａ、１３Ｂからの合わせられた薬液の全部が投与されるようにする第１流路を形成する。
【００４２】
全体開放モードで、操作ハンドル４０を操作して転換バルブ３０を１８０°回転させれば、モードは全体閉鎖モードに転換される。図８はこの全体閉鎖モードを示す。図８のように、全体閉鎖モードでは第１薬液通路３１の第２ポート３１−２が二つの流入口２１Ａ、２１Ｂのいずれとも連通しなくて、二つの流量調節管１３Ａ、１３Ｂからの薬液は二つの流入口２１Ａ、２１Ｂの両方への流入が遮断される。この際、第１薬液通路３１は薬液の投与が中断されるようにする第２流路を形成する。
【００４３】
全体開放モードで、転換バルブ３０を左側に９０°回転させれば（または、全体閉鎖モードで、転換バルブ３０を右側に９０°回転させれば）、モードは第１部分開放モードに転換される。図９はこの第１部分開放モードを示すものである。図９のように、第１部分開放モードでは、第２薬液通路３２の第１ポート３２−１は上側の流入口２１Ａと連通し、第２薬液通路３２の第２ポート３２−２は流出口２２とそれぞれ連通することで、上側流量調節管１３Ａからの薬液は上側の流入口２１Ａ及び第２薬液通路３２を順に経由した後、流出口２２に流出される。一方、第３薬液通路３３の第１ポート３３−１は流出口２２と連通しなくて、下側の流量調節管１３Ｂからの薬液は流出口２２を通じての流出が遮断される。この際、第２薬液通路３２は投与対象に上側の流量調節管１３Ａからの薬液が投与されるようにする第３流路を形成し、第３薬液通路３３は下側の流量調節管１３Ｂからの薬液が投与されることを遮断する第４流路を形成する。
【００４４】
全体開放モードで、転換バルブ３０を右側に９０°回転させれば（または、全体閉鎖モードで転換バルブ３０を左側に９０°回転させるかあるいは第１部分開放モードで転換バルブ３０を１８０°回転させれば）、モードは第２部分開放モードに転換される。図１０はこの第２部分開放モードを示す。図１０のように、第２部分開放モードでは、第３薬液通路３３の第１ポート３３−１は下側の流入口２１Ｂと連通し第３薬液通路３３の第２ポート３３−２は流出口２２と連通することで、下側の流量調節管１３Ｂからの薬液は下側の流入口２１Ｂ及び第３薬液通路３３を順に経由した後、流出口２２に流出される。一方、第２薬液通路３２の第１ポート３２−１は流出口２２と連通しなくて、上側流量調節管１３Ａからの薬液は流出口２２を通じての流出が遮断される。この際、第２薬液通路３２は上側の流量調節管１３Ａからの薬液が投与されることを遮断する第５流路を形成し、第３薬液通路３３は投与対象に下側の流量調節管１３Ｂからの薬液が投与されるようにする第６流路を形成する。
【００４５】
このように作動する第１実施例による薬液投与量調節装置は次のように非常に有用に使われることができる。
【００４６】
手術患者の場合には手術の種類や個人によって痛症を感じる程度に差があるが、大部分が手術後の初期には非常にひどい痛症を感じ、時間が経過するにつれて痛症は徐々に減少して約３日が経過すると相当に緩和される。よって、手術患者に痛症管理を目的で薬液を投与するとき、手術後の初期には全体開放モード（二つの流量調節管１３Ａ、１３Ｂからの合わせられた薬液を全部投与）を選択し、以後に痛症が減少すれば第１部分開放モード（上側流量調節管１３Ａからの薬液のみを投与）に転換し、約３日が経過すると第２部分開放モード（下側の流量調節管１３Ｂからの薬液のみを投与）に転換する方式で薬液の投与量を段階的に減少させることができる。
【００４７】
末期癌患者の場合には、手術患者とは反対に時間が経過するほど感じる痛症が徐々に酷くなる。よって、末期癌患者には、薬液投与の際、第２部分開放モードを選択した後、痛症の増加によって第２部分開放モードからモードを第１部分開放モード、全体開放モードの順に転換することで、薬液の投与量を段階的に増加させることができる。
【００４８】
図１〜図１０において、未説明図面符号６０はバルブ室２５に収容された転換バルブ３０が正確に運動するように案内するガイド、７０は転換バルブ３０がバルブ室２５から離脱することを防止する離脱防止手段である。
【００４９】
図３〜図６に示すように、ガイド６０は、軸部材６１、及び軸部材６１が挿入される案内孔６２を含む。軸部材６１はバルブ室２５の底面と転換バルブ３０の底面のいずれか一方に備えられ、案内孔６２はバルブ室２５の底面と転換バルブ３０の底面の他方に備えられる。ここでは、転換バルブ３０の底面に軸部材６１が、バルブ室２５の底に案内孔６２がそれぞれ備えられている。
【００５０】
図４〜図６に示すように、離脱防止手段７０係止突条７１と係止突条７１が挿着される管状溝７２を含む。係止突条７１はバルブ室２５の内周と転換バルブ３０の外周のいずれか一方に備えられ、管状溝７２はバルブ室２５の内周と転換バルブ３０の外周の他方に備えられる。ここでは、転換バルブ３０の外周に係止突条７１が、バルブ室２５の内周に管状溝７２がそれぞれ円周方向に沿って備えられている。係止突条７１の場合には、バルブ室２５の内周、または転換バルブ３０の外周に円周に沿って互いに離隔するように備えられた複数の突起で構成できる。
【００５１】
図１１及び図１２は本発明の第１実施例による薬液投与量制御装置の適用例を示す分解斜視図及び正面図である。図１１及び図１２に示すように、第１実施例による薬液投与量制御装置は薬液投与器の本体１１０Ａ、１１０Ｂに操作ハンドル４０が露出されるように内蔵することができる。
【００５２】
具体的に、図１１及び図１２に示す薬液投与器は、流入ホース２から分岐して流出ホース４にそれぞれ連結された第１及び第２分岐ホース１２０、１２５、第１分岐ホース１２０上に備えられ、第１分岐ホース１２０に沿って流れる薬液が貯蔵され、外力が加われば変形しながら貯蔵薬液を流出ホース４側に圧送する薬液圧送バッグ１３０、及び薬液圧送バッグ１３０によって圧送される薬液を一時貯蔵してから流出ホース４を通じて持続的に流出させる薬液流出持続手段１４０を含む。そして、第１実施例による薬液投与量制御装置は第２分岐ホース１２５上に装着され、流入管１１と流出用連結管２４が第２分岐ホース１２５に連結される。
【００５３】
参考として、流入ホース２からの薬液は第１及び第２分岐ホース１２０、１２５に流入し、第２分岐ホース１２５に流入した薬液は第１実施例による薬液投与量制御装置を経由してから流出ホース４に流出される。
【００５４】
図面符号１６０は第１分岐ホース１２０の管路を開閉する開閉器具である。第１分岐ホース１２０は開閉器具１６０によって平常時に管路が閉鎖され、薬液は第１分岐ホース１２０に沿って流れることができず、薬液圧送バッグ１３０に貯蔵される。
【００５５】
図面符号１５０のボタンを押せば、開閉器具１６０は第１分岐ホース１２０の管路が開放するように開放作動し、これと同時に、薬液圧送バッグ１３０が加圧されることにより、薬液圧送バッグ１３０に貯蔵された薬液が流出ホース４に圧送される。この際、投与対象にはより多い量の薬液が瞬間的に追加投与される。
【００５６】
薬液流出持続手段１４０はバルーン（ｂａｌｌｏｏｎ）を含む。この薬液流出持続手段１４０のバルーンは第１分岐ホース１２０からの圧送薬液が流入し、この流入する薬液によって膨脹するように構成され、膨脹しながら薬液を一時貯蔵してから、原状に復元しようとする自体収縮力によって一時貯蔵された薬液を流出ホース４に持続的に流出する。
【００５７】
図１３は本発明の第２実施例による薬液投与量制御装置を示す分解斜視図である。図１３に示すように、第２実施例による薬液投与量制御装置は、第１実施例に比べると、他の構成及び作用はいずれも同一であるが、操作ハンドル４０を除いた残りの構成が収容されるケース８０Ａ、８０Ｂ及びハンドルカバー９０をさらに含む点、これによって操作ハンドル４０の装着構造が変更された点だけが異なる。
【００５８】
操作ハンドル４０は上部ケース８０Ａの通孔８１を通じて転換バルブ３０と結合される。ハンドルカバー９０は上部ケース８０Ａとの間に操作ハンドル４０を介して上部ケース８０Ａと結合され、操作ハンドル４０の上部にはハンドルカバー９０との間に介在されるようにスプリング９５が結合される。ハンドルカバー９０はハンドルカバー９０の両側で操作ハンドル４０の周囲部が露出されるように形成される。
【００５９】
以上、本発明を説明したが、本発明はこの明細書に開示された実施例及び添付図面に限定されなく、本発明の技術的思想を逸脱しない範囲内で当業者によって多様に変形可能である。
【図１】
0005442033.tif 000002
【図２】
0005442033.tif 000003
【図３】
0005442033.tif 000004
【図４】
0005442033.tif 000005
【図５】
0005442033.tif 000006
【図６】
0005442033.tif 000007
【図７】
0005442033.tif 000008
【図８】
0005442033.tif 000009
【図９】
0005442033.tif 000010
【図１０】
0005442033.tif 000011
【図１１】
0005442033.tif 000012
【図１２】
0005442033.tif 000013
【図１３】
0005442033.tif 000014